(57)【要約】【課題】  グンダーセン方式による競技のスタートを適切に管理することのできる競技管理システム等を提供する。【解決手段】  （ａ）に示すように、時刻Ｔ１とタイム差Δｔ１を隔てた予定時刻Ｔ２よりも時間α前に、管理コンソールは、予告発光指示を対象のスタートゲートに向けて送信する。これを受信したスタートゲートは、信号灯の橙の信号を発光させる。その後、予定時刻Ｔ２になると、管理コンソールは、スタート発光指示を対象のスタートゲートに向けて送信する。これを受信したスタートゲートは、信号灯の緑の信号の発光に切り替えて、競技者Ｒｎ２にスタートタイミングを報知する。なお、（ｂ）に示すように、競技者Ｒｎ３が時刻Ｔ３’にスタートした場合や、（ｃ）に示すように、競技者Ｒｎ４が時刻Ｔ４’にスタートした場合に、管理コンソールは、フライングが発生したと判定する。【選択図】  図４
2006149670.tif 000002
【特許請求の範囲】
【請求項１】
区分けされたスタート位置にそれぞれ配置される複数のスタート装置と、基準時刻を計時するタイマ機器と、各々の前記スタート装置との間で所定の情報を送受信する管理装置と、を含む競技管理システムであって、
各々の前記スタート装置は、
前記管理装置から送られる指示情報を受信する指示情報受信手段と、
前記指示情報受信手段が受信した前記指示情報に応答して、対象の競技者にスタートタイミングを報知する報知手段と、
前記競技者のスタートを検出する検出手段と、
前記検出手段が検出した前記競技者のスタートに応答して検出情報を前記管理装置に向けて送信する検出情報送信手段と、を備え、
前記タイマ機器は、
先頭の競技者へのスタート指示に応答したスタート信号を入力する入力手段と、
前記入力手段が入力した前記スタート信号に応答して前記基準時刻の計時を開始する計時手段と、を備え、
前記管理装置は、
予め集計された各々の前記競技者のポイントから得られるポイント差に基づいて換算された、各々の前記競技者に対応するそれぞれのタイム差を記憶する記憶手段と、
前記タイマ機器にて前記基準時刻の計時が開始された後に、前記記憶手段に記憶された各々の前記タイム差に基づいて、対象となる前記スタート装置に向けて、前記指示情報を送信する指示情報送信手段と、
各々の前記スタート装置から送られる前記検出情報を受信する検出情報受信手段と、
前記スタート装置毎に、前記指示情報を送信したタイミングと、前記検出情報を受信したタイミングとの関係に基づいて、各々の前記競技者のフライングの有無を検出するフライング検出手段と、を備える、
ことを特徴とする競技管理システム。
【請求項２】
前記管理装置における前記指示情報送信手段は、スタート予告を指示する予告指示情報と、スタートを指示するスタート指示情報とを、各々の前記スタート装置にそれぞれ送信し、
各々の前記スタート装置における前記指示情報受信手段は、前記指示情報送信手段から送信された前記予告指示情報と前記スタート指示情報とをそれぞれ受信し、
各々の前記スタート装置における前記報知手段は、前記指示情報受信手段が受信した前記予告指示情報に応答する予告表示と、前記指示情報受信手段が受信した前記スタート指示情報に応答するスタート表示とを切り換えて、前記競技者にスタートタイミングを報知する、
ことを特徴とする請求項１に記載の競技管理システム。
【請求項３】
前記管理装置における前記指示情報送信手段は、前記フライング検出手段がフライングの発生を検出すると、警告を指示する警告指示情報を、対象の前記スタート装置に送信し、
前記スタート装置における前記指示情報受信手段は、前記指示情報送信手段から送信された前記警告指示情報を受信し、
前記スタート装置における前記報知手段は、前記指示情報受信手段が受信した前記警告指示情報に応答する警告表示に切り換えて、前記競技者にフライングの発生を報知する、
ことを特徴とする請求項１又は２に記載の競技管理システム。
【請求項４】
前記管理装置は、各々の前記競技者のゴールに応答して、前記タイマ機器が計時する前記基準時刻をそれぞれの競技タイムとして特定する競技タイム特定手段を更に備え、
前記競技タイム特定手段は、前記フライング検出手段がフライングの発生を検出した場合に、予め定められたペナルティタイムを前記競技タイムに加算する、
ことを特徴とする請求項１乃至３の何れか１項に記載の競技管理システム。
【請求項５】
区分けされたスタート位置にそれぞれ配置される複数のスタート装置と、基準時刻を計時するタイマ機器と、各々の前記スタート装置との間で所定の情報を送受信する管理装置と、を含むシステムにおけるスタート管理方法であって、
各々の前記スタート装置において、前記管理装置から送られる指示情報を受信する指示情報受信ステップと、
前記指示情報受信ステップにて受信した前記指示情報に応答して、対象の競技者にスタートタイミングを報知する報知ステップと、
前記競技者のスタートを検出する検出ステップと、
前記検出ステップにて検出した前記競技者のスタートに応答して検出情報を前記管理装置に向けて送信する検出情報送信ステップと、
前記タイマ機器において、先頭の競技者へのスタート指示に応答したスタート信号を入力する入力ステップと、
前記入力ステップにて入力した前記スタート信号に応答して前記基準時刻の計時を開始する計時ステップと、
前記管理装置において、前記タイマ機器にて前記基準時刻の計時が開始された後に、所定の記憶部に記憶される、各々の前記競技者に対応して換算されたタイム差に基づいて、対象となる前記スタート装置に向けて、前記指示情報を送信する指示情報送信ステップと、
各々の前記スタート装置から送られる前記検出情報を受信する検出情報受信ステップと、
前記スタート装置毎に、前記指示情報を送信したタイミングと、前記検出情報を受信したタイミングとの関係に基づいて、各々の前記競技者のフライングの有無を検出するフライング検出ステップと、
を備えることを特徴とするスタート管理方法。
【発明の詳細な説明】
【技術分野】
【０００１】
この発明は、グンダーセン方式による競技のスタートを適切に管理することのできる競技管理システムおよびスタート管理方法に関する。
【背景技術】
【０００２】
陸上の競技大会において、十種競技（男子）や七種競技（女子）の混成競技が開催され、人気を博している。
男子の十種競技は、トラック競技の４種目（１００ｍ、１１０ｍハードル、４００ｍ、１５００ｍ）と、フィールド競技の６種目（走り幅跳び、砲丸投げ、走り高跳び、円盤投げ、棒高跳び、やり投げ）とからなる。また、女子の七種競技は、トラック競技の３種目（２００ｍ、１００ｍハードル、８００ｍ）と、フィールド競技の４種目（走り幅跳び、砲丸投げ、走り高跳び、やり投げ）とからなる。
これらの十種競技や七種競技は、各種目にて獲得したポイントの合計（総合ポイント）で、最終的な順位を競うことを特徴としている。
【０００３】
一方、スキーのノルディック複合競技（ジャンプ及び、クロスカントリの２種目で争われる競技）では、クロスカントリのスタートに、グンダーセン方式が採用されている。このグンダーセン方式とは、先に行われるジャンプの飛距離及び飛型点から各競技者のポイントを求め、このポイント差をスタートのタイム差に換算し、ポイントの高い競技者から順番にタイム差をあけて競技をスタートするという方式である。
このグンダーセン方式により、クロスカントリにてゴールした順位がそのまま総合順位となるため、観客や競技者にとって、競技の経過が分かり易いものとなっている。
【０００４】
このようなグンダーセン方式を、十種競技や七種競技に取り入れることについて検討がなされている。具体的には、十種競技の最終種目である１５００ｍ及び、七種競技の最終種目である８００ｍに、グンダーセン方式を採用することについて検討している。つまり、最終種目前までのポイント差をタイム差に換算し、１５００ｍや８００ｍを行う各競技者が、それぞれタイム差をあけてスタートすることになる。
【０００５】
このようなトラック競技に、グンダーセン方式が採用された場合、各競技者をタイム差に基づいて公平にスタートさせることが必要となる。つまり、各競技者に対して、スタート指示がそれぞれ適切なタイミングで行われること、及び、各競技者のフライングの有無の判定が厳格に行われることが、要求される。
【０００６】
なお、従来、陸上競技において、フライングの有無を判定するために、スターティングブロックに備えられた圧力センサを利用した不正スタート判定装置の技術も開示されている（例えば、特許文献１参照）。
【特許文献１】特許２７５９７６９号公報  （第５−１３頁、第１図）
【発明の開示】
【発明が解決しようとする課題】
【０００７】
しかしながら、グンダーセン方式では、各競技者のスタートタイミングがそれぞれ異なっており、従来のフライングを判定する技術をそのまま採用することができない。また、各競技者に対して、スタートタイミングを適切に報知する方法も確立されていないのが現状であった。
このため、グンダーセン方式に対応した新たな競技管理システム等の開発が求められていた。
【０００８】
本発明は、上記実状に鑑みてなされたもので、グンダーセン方式による競技のスタートを適切に管理することのできる競技管理システムおよびスタート管理方法を提供することを目的とする。
【課題を解決するための手段】
【０００９】
上記目的を達成するため、本発明の第１の観点に係る競技管理システムは、
区分けされたスタート位置にそれぞれ配置される複数のスタート装置と、基準時刻を計時するタイマ機器と、各々の前記スタート装置との間で所定の情報を送受信する管理装置と、を含む競技管理システムであって、
各々の前記スタート装置は、
前記管理装置から送られる指示情報を受信する指示情報受信手段と、
前記指示情報受信手段が受信した前記指示情報に応答して、対象の競技者にスタートタイミングを報知する報知手段と、
前記競技者のスタートを検出する検出手段と、
前記検出手段が検出した前記競技者のスタートに応答して検出情報を前記管理装置に向けて送信する検出情報送信手段と、を備え、
前記タイマ機器は、
先頭の競技者へのスタート指示に応答したスタート信号を入力する入力手段と、
前記入力手段が入力した前記スタート信号に応答して前記基準時刻の計時を開始する計時手段と、を備え、
前記管理装置は、
予め集計された各々の前記競技者のポイントから得られるポイント差に基づいて換算された、各々の前記競技者に対応するそれぞれのタイム差を記憶する記憶手段と、
前記タイマ機器にて前記基準時刻の計時が開始された後に、前記記憶手段に記憶された各々の前記タイム差に基づいて、対象となる前記スタート装置に向けて、前記指示情報を送信する指示情報送信手段と、
各々の前記スタート装置から送られる前記検出情報を受信する検出情報受信手段と、
前記スタート装置毎に、前記指示情報を送信したタイミングと、前記検出情報を受信したタイミングとの関係に基づいて、各々の前記競技者のフライングの有無を検出するフライング検出手段と、を備える、
ことを特徴とする。
【００１０】
この発明によれば、各々のスタート装置の指示情報受信手段は、管理装置から送られる指示情報（例えば、発光指示）を受信する。また、報知手段は、受信した指示情報に応答して、例えば、信号を所定の色に発光させ、対象の競技者にスタートタイミングを報知する。検出手段は、例えば、スタートラインに沿って配置されたセンサにより、競技者のスタートを検出する。そして、検出情報送信手段は、スタートの検出に応答して検出情報を管理装置に向けて送信する。一方、タイマ機器の入力手段は、先頭の競技者へのスタート指示に応答したスタート信号を入力する。そして、計時手段は、入力したスタート信号に応答して基準時刻の計時を開始する。更に、管理装置の記憶手段は、予め集計された各々の競技者のポイントから得られるポイント差に基づいて換算された、各々の競技者に対応するそれぞれのタイム差を記憶する。また、指示情報送信手段は、タイマ機器にて基準時刻の計時が開始された後に、記憶手段に記憶された各々のタイム差に基づいて、対象となるスタート装置に向けて、指示情報を送信する。検出情報受信手段は、各々のスタート装置から送られる検出情報を受信する。そして、フライング検出手段は、スタート装置毎に、指示情報を送信したタイミングと、検出情報を受信したタイミングとの関係に基づいて、各々の競技者のフライングの有無を検出する。
【００１１】
このように、管理装置が、各々のタイム差に基づいて、対象のスタート装置に向けて、それぞれ指示情報を送信する。そして、各々のスタート装置が、この指示情報を受信すると、対象の競技者にスタートタイミングを報知する。このため、各々の競技者に対して、それぞれ適切なタイミングでスタート指示を行うことができる。
また、各々のスタート装置が、競技者のスタートを検出し、検出情報を管理装置に送信する。そして、管理装置が、指示情報を送信したタイミングと、検出情報を受信したタイミングとの関係に基づいて、各々の競技者のフライングの有無を検出する。このため、各競技者のフライングの有無を厳格に判定することができる。
この結果、グンダーセン方式による競技のスタートを適切に管理することができる。
【００１２】
前記管理装置における前記指示情報送信手段は、スタート予告を指示する予告指示情報と、スタートを指示するスタート指示情報とを、各々の前記スタート装置にそれぞれ送信し、
各々の前記スタート装置における前記指示情報受信手段は、前記指示情報送信手段から送信された前記予告指示情報と前記スタート指示情報とをそれぞれ受信し、
各々の前記スタート装置における前記報知手段は、前記指示情報受信手段が受信した前記予告指示情報に応答する予告表示と、前記指示情報受信手段が受信した前記スタート指示情報に応答するスタート表示とを切り換えて、前記競技者にスタートタイミングを報知してもよい。
【００１３】
前記管理装置における前記指示情報送信手段は、前記フライング検出手段がフライングの発生を検出すると、警告を指示する警告指示情報を、対象の前記スタート装置に送信し、
前記スタート装置における前記指示情報受信手段は、前記指示情報送信手段から送信された前記警告指示情報を受信し、
前記スタート装置における前記報知手段は、前記指示情報受信手段が受信した前記警告指示情報に応答する警告表示に切り換えて、前記競技者にフライングの発生を報知してもよい。
【００１４】
前記管理装置は、各々の前記競技者のゴールに応答して、前記タイマ機器が計時する前記基準時刻をそれぞれの競技タイムとして特定する競技タイム特定手段を更に備え、
前記競技タイム特定手段は、前記フライング検出手段がフライングの発生を検出した場合に、予め定められたペナルティタイムを前記競技タイムに加算してもよい。
【００１５】
上記目的を達成するため、本発明の第２の観点に係るスタート管理方法は、
区分けされたスタート位置にそれぞれ配置される複数のスタート装置と、基準時刻を計時するタイマ機器と、各々の前記スタート装置との間で所定の情報を送受信する管理装置と、を含むシステムにおけるスタート管理方法であって、
各々の前記スタート装置において、前記管理装置から送られる指示情報を受信する指示情報受信ステップと、
前記指示情報受信ステップにて受信した前記指示情報に応答して、対象の競技者にスタートタイミングを報知する報知ステップと、
前記競技者のスタートを検出する検出ステップと、
前記検出ステップにて検出した前記競技者のスタートに応答して検出情報を前記管理装置に向けて送信する検出情報送信ステップと、
前記タイマ機器において、先頭の競技者へのスタート指示に応答したスタート信号を入力する入力ステップと、
前記入力ステップにて入力した前記スタート信号に応答して前記基準時刻の計時を開始する計時ステップと、
前記管理装置において、前記タイマ機器にて前記基準時刻の計時が開始された後に、所定の記憶部に記憶される、各々の前記競技者に対応して換算されたタイム差に基づいて、対象となる前記スタート装置に向けて、前記指示情報を送信する指示情報送信ステップと、
各々の前記スタート装置から送られる前記検出情報を受信する検出情報受信ステップと、
前記スタート装置毎に、前記指示情報を送信したタイミングと、前記検出情報を受信したタイミングとの関係に基づいて、各々の前記競技者のフライングの有無を検出するフライング検出ステップと、
を備えることを特徴とする。
【００１６】
この発明によれば、各々のスタート装置の指示情報受信ステップは、管理装置から送られる指示情報（例えば、発光指示）を受信する。また、報知ステップは、指示情報受信ステップにて受信した指示情報に応答して、例えば、信号を所定の色に発光させ、対象の競技者にスタートタイミングを報知する。検出ステップは、例えば、スタートラインに沿って配置されたセンサにより、競技者のスタートを検出する。そして、検出情報送信ステップは、スタートの検出に応答して検出情報を管理装置に向けて送信する。一方、タイマ機器の入力ステップは、先頭の競技者へのスタート指示に応答したスタート信号を入力する。そして、計時ステップは、入力ステップにて入力したスタート信号に応答して基準時刻の計時を開始する。更に、管理装置の指示情報送信ステップは、タイマ機器にて基準時刻の計時が開始された後に、所定の記憶部に記憶される、各々の競技者に対応して換算されたタイム差に基づいて、対象となるスタート装置に向けて、指示情報を送信する。また、検出情報受信ステップは、各々のスタート装置から送られる検出情報を受信する。そして、フライング検出ステップは、スタート装置毎に、指示情報を送信したタイミングと、検出情報を受信したタイミングとの関係に基づいて、各々の競技者のフライングの有無を検出する。
【００１７】
このように、管理装置において、各々のタイム差に基づいて、対象のスタート装置に向けて、それぞれ指示情報を送信する。そして、各々のスタート装置において、この指示情報を受信すると、対象の競技者にスタートタイミングを報知する。このため、各競技者に対して、それぞれ適切なタイミングでスタート指示を行うことができる。
また、各々のスタート装置において、競技者のスタートを検出し、検出情報を管理装置に送信する。そして、管理装置において、指示情報を送信したタイミングと、検出情報を受信したタイミングとの関係に基づいて、各々の競技者のフライングの有無を検出する。このため、各々の競技者のフライングの有無を厳格に判定することができる。
この結果、グンダーセン方式による競技のスタートを適切に管理することができる。
【発明の効果】
【００１８】
本発明によれば、グンダーセン方式による競技のスタートを適切に管理することができる。
【発明を実施するための最良の形態】
【００１９】
本発明の実施の形態にかかる競技管理システムについて、以下図面を参照して説明する。なお、一例として、十種競技の最終種目である１５００ｍにグンダーセン方式が採用された場合を仮定して、この１５００ｍ種目にてスタートの管理等を行う競技管理システムについて説明する。
【００２０】
（実施形態１）
図１は、この発明の実施の形態に適用される競技管理システム１の構成の一例を示す模式図である。
図示するように、競技管理システム１は、スタート装置としてのスタートゲート１０（１０ａ〜１０ｅ）と、中継機器２０と、タイマ機器としてのタイマ３０と、タイム表示装置４０と、不正スタート表示装置５０と、スタート信号発生装置６０と、管理装置としての管理コンソール７０と、写真判定装置８０と、を含んで構成される。
なお、スタート信号発生装置６０には、スタートピストルＳＰが接続されている。また、写真判定装置８０には、カメラＣａ，Ｃｂが接続されている。
【００２１】
スタートゲート１０（１０ａ〜１０ｅ）は、区分けされたスタート位置にそれぞれ配置され、競技者（自己のスタートゲート１０からスタートする競技者）にスタートタイミングを報知すると共に、その競技者のスタート等を検出する。
このスタートゲート１０は、一例として、図１に示すように、競技トラックにおける４〜８コース上の各スタート位置（スタートラインＳＬの近傍）に、それぞれ配置される。なお、インの１〜３コースは、周回する競技者の妨げにならないように解放されている。
【００２２】
具体的にスタートゲート１０は、図２に示すように、検出手段としてのＰＢＵ（フォトビームユニット）１１ａ，１１ｂと、ビジョンカメラ１２と、報知手段としての信号灯１３と、ヘッドセット１４と、ハンディコンソール１５と、指示情報受信手段及び検出情報送信手段としてのコースボックス１６と、を含んで構成される。
【００２３】
ＰＢＵ１１ａ，１１ｂは、コース上の競技者のスタート（スタート動作）等を検出する。
例えば、ＰＢＵ１１ａに赤外線（フォトビーム）の発光部が設けられ、また、ＰＢＵ１１ｂに赤外線の受光部が設けられており、スタートラインＳＬに沿って赤外線が照射されるようにＰＢＵ１１ａ，１１ｂが配置される。そして、競技者が赤外線を遮ったタイミングで、競技者のスタートを検出し、検出信号（検出情報）をコースボックス１６に供給する。
また、ＰＢＵ１１ａ，１１ｂは、後述するフライング判定期間前における競技者のスタートラインＳＬの踏み越えも検出する。
なお、検出信号は、コースボックス１６等を介して最終的に管理コンソール７０に送信される。
【００２４】
ビジョンカメラ１２は、コース上の競技者によるスタートラインＳＬの踏み越えの有無を判定するための映像を撮影する。
ビジョンカメラ１２は、例えば、スタートラインＳＬを上方から撮影し、撮影した映像信号をコースボックス１６に供給する。なお、映像信号は、コースボックス１６等を介して最終的に管理コンソール７０に送信される。
【００２５】
信号灯１３は、複数色を発光（点灯）させる信号機等からなり、コースボックス１６を介して管理コンソール７０から送られる発光指示（指示情報）に応じて、所定の色の信号を発光させる。
例えば、信号灯１３は、赤、橙及び、緑の３色の信号を発光可能な信号機等からなり、管理コンソール７０から予告発光指示が送られると、橙の信号（予告表示）を発光させ、そして、管理コンソール７０からスタート発光指示が送られると、緑の信号（スタート指示）の発光に切り換えて、競技者にスタートタイミングを報知する。
また、信号灯１３は、フライングやスタートラインＳＬの踏み越えが発生し、管理コンソール７０から警告発光指示が送られると、赤の信号（警告表示）を発光させ、競技者にフライングや踏み越えの発生を報知する。
【００２６】
ヘッドセット１４は、競技者に対してスタートの合図を行う競技役員ＯＦに装着され、コースボックス１６を介して管理コンソール７０から送られる予鈴（予鈴音）を、競技役員ＯＦに供給する。
例えば、ヘッドセット１４は、個人差をなくすためにスタートタイミングの３秒前から送られる「ピッ、ピッ、ピッ、ポン」という予鈴（１／１００秒精度）を受信して競技役員ＯＦに与え、適切なタイミングにてスタートの合図を行わせる。
【００２７】
ハンディコンソール１５は、競技役員ＯＦに所持され、コースボックス１６を介して管理コンソール７０から送られる種々の情報を受信し、その情報を表示部に表示する。
例えば、ハンディコンソール１５は、競技者情報（出場選手情報等）を受信して表示することで、競技役員ＯＦに競技者の確認を行わせる。
【００２８】
コースボックス１６は、中継機器２０を介して管理コンソール７０と接続され、この管理コンソール７０と、上述したＰＢＵ１１ａ，１１ｂ〜ハンディコンソール１５との間の通信を制御する。
なお、コースボックス１６と、ＰＢＵ１１ａ，１１ｂ〜ハンディコンソール１５とは、有線にて接続されてもよく、また、無線にて接続されてもよい。
【００２９】
図１に戻って、中継機器２０は、管理コンソール７０と、各スタートゲート１０との通信を中継する機器であり、管理コンソール７０と各スタートゲート１０との間の情報の送受信を制御する。
具体的に中継機器２０は、管理コンソール７０から送られる情報（発光指示や予鈴等）を対象のスタートゲート１０に送信し、また、各スタートゲート１０から送られる情報（検出信号や映像信号等）を管理コンソール７０に送信する。
なお、中継機器２０と管理コンソール７０との接続、及び、中継機器２０と各スタートゲート１０との接続は、有線にて行われてもよく、また、無線にて行われてもよい。
【００３０】
タイマ３０は、基準時刻（例えば、ランニングタイム）を計時する計時機器であり、スタート信号発生装置６０から供給されるスタート信号に応答して、基準時刻の計時を開始する。例えば、タイマ３０は、１／１００秒精度で基準時刻を計時する。
そして、タイマ３０は、計時している基準時刻を示すタイム情報を、タイム表示装置４０、管理コンソール７０及び、写真判定装置８０に順次供給する。
【００３１】
タイム表示装置４０は、ランニングタイム等を表示する表示装置である。具体的にタイム表示装置４０は、タイマ３０から供給されるタイム情報に基づいてランニングタイム等を表示する。
【００３２】
不正スタート表示装置５０は、各競技者のフライングの有無等を表示する表示装置である。例えば、不正スタート表示装置５０は、管理コンソール７０から供給される点灯指示に基づいて、赤や緑等の信号を点灯させる。
【００３３】
スタート信号発生装置６０は、接続されたスタートピストルＳＰがスタータにより発射されると（撃たれると）、スタート信号を生成して、タイマ３０や管理コンソール７０に供給する。
なお、スタートピストルＳＰによるスタート指示は、先頭の競技者（後述する最高ポイントの競技者）に向けて行われる。
【００３４】
管理コンソール７０は、例えば、ＣＰＵ（Central Processing Unit）等の制御部、ＲＡＭ（Random Access Memory）等のメモリ、ＬＣＤ（Liquid Crystal Display）等の表示部、及び、キーボード等の操作部を含んで構成され、競技管理システム１全体を制御する。
具体的に管理コンソール７０は、制御部が所定のプログラムを実行することにより、図３に示すような、記憶手段としての記憶部７１、指示情報送信手段としての送信部７２、検出情報受信手段としての受信部７３、フライング検出手段としての判定部７４、競技タイム特定手段としてのタイム特定部７５、として機能する。
【００３５】
記憶部７１は、最終種目（１５００ｍ）直前までの各競技者のポイント差に基づいて換算された、各競技者に対応するそれぞれのタイム差等を記憶する。
つまり、予め各競技者のポイントが集計され、最高ポイントの競技者を基準としたポイント差がそれぞれ求められており、この各ポイント差が予め定められた換算式によりタイム差にそれぞれ換算される。そして、換算された各タイム差が各競技者（識別番号等）に対応付けられて、記憶部７１に記憶される。
また、記憶部７１は、各競技者とスタートゲート１０（１０ａ〜１０ｅ）との対応関係を示す対応情報も記憶している。つまり、各競技者がどのスタートゲート１０からスタートするのかが予め割り振られており、この対応情報が記憶部７１に記憶されている。
【００３６】
送信部７２は、最高ポイントの競技者がスタートし、タイマ３０にて基準時刻の計時が開始された後に、記憶部７１に記憶された各タイム差等に基づいて、対象となるスタートゲート１０に向けて、発光指示を送信する。
例えば、図４（ａ）に示すように、最高ポイントの競技者Ｒｎ１（スタートピストルＳＰの合図でスタートする競技者Ｒｎ１）が時刻Ｔ１にスタートした後、タイム差Δｔ１を隔ててスタートする競技者Ｒｎ２の予定時刻Ｔ２よりも競技者Ｒｎ１がスタータの指示で位置に着き、スタートシステムＳＰの指示でスタートするまでの時間α前に、送信部７２は、予告発光指示を対象のスタートゲート１０に向けて送信する。これを受信したスタートゲート１０は、信号灯１３の橙の信号を発光させる。
その後、予定時刻Ｔ２になると、送信部７２は、スタート発光指示を対象のスタートゲート１０に向けて送信する。これを受信したスタートゲート１０は、信号灯１３の緑の信号の発光に切り替えて、競技者Ｒｎ２にスタートタイミングを報知する。
なお、時刻Ｔ１と予定時刻Ｔ２との間隔が一定値（例えば、５秒）以内であれば、スタータの「位置について」の発声と同時に、送信部７２は、予告発光指示を対象のスタートゲート１０に向けて送信してもよい。
【００３７】
受信部７３は、各スタートゲート１０から送られる検出信号を受信する。つまり、ＰＢＵ１１ａ，１１ｂが競技者のスタートを検出した際に、スタートゲート１０から送られる検出信号を受信する。
また、受信部７３は、ＰＢＵ１１ａ，１１ｂ等がスタートラインＳＬの踏み越え検出した際にも、スタートゲート１０から送られる検出信号を受信する。
【００３８】
判定部７４は、スタートゲート１０毎に、スタート発光指示を送信したタイミングと、検出信号（スタートの検出信号）を受信したタイミングとの関係に基づいて、各競技者のフライングの有無を判定（検出）する。
例えば、判定部７４は、スタートを指示するタイミングを基準として、０．５秒前から１００／１０００秒後までの間に、競技者がスタートした場合に、フライングが発生したと判定する。
【００３９】
具体的に、図４（ｂ）に示すように、競技者Ｒｎ３の予定時刻Ｔ３（スタート発光指示を送信したタイミング）から時間β（例えば、１００／１０００秒）が経過するよりも前の時刻Ｔ３’（検出信号を受信したタイミング）に、競技者Ｒｎ３がスタートした場合に、判定部７４は、フライングが発生したと判定する。
また、図４（ｃ）に示すように、競技者Ｒｎ４の予定時刻Ｔ４より以前の時間γ（例えば、０．５秒）の間の時刻Ｔ４’に、競技者Ｒｎ４がスタートした場合に、判定部７４は、フライングが発生したと判定する。
【００４０】
そして、判定部７４がフライングの発生を判定すると、送信部７２は、対象となるスタートゲート１０に向けて、警告発光指示を送信する。これを受信したスタートゲート１０は、信号灯１３の赤の信号を発光させ、競技者にフライングの発生を報知する。
なお、判定部７４が行うフライングの判定期間（スタートを指示するタイミングを基準として、０．５秒前から１００／１０００秒後までの間）以前では、競技者がスタートラインＳＬの踏み越えを行うと（踏み越えの検出信号を受信すると）、送信部７２は、対象となるスタートゲート１０に向けて、警告発光指示を送信する。これを受信したスタートゲート１０は、信号灯１３の赤の信号を発光させ、競技者にスタートラインＳＬの踏み越えを報知する。
【００４１】
タイム特定部７５は、各競技者のゴールに応答して、タイマ３０が計時する基準時刻をそれぞれの競技タイムとして特定する。
例えば、タイム特定部７５は、写真判定装置８０により撮影されたゴール時の競技者と、その際タイマ３０により計時された基準時刻（合成されたタイム情報）とから、競技者に対応する基準時刻を競技タイムとして特定する。
なお、判定部７４によりフライングの発生が判定された場合に、タイム特定部７５は、その競技者の競技タイムに、予め定められたペナルティタイムを加算する。つまり、タイム特定部７５は、フライングによるペナルティが加味された競技タイムを特定する。
【００４２】
図１に戻って、写真判定装置８０は、ゴールラインＧＬに沿って配置されたカメラＣａ，Ｃｂを備えたスリットビデオ装置（ラインセンサを使用したビデオ装置）等からなり、カメラＣａ，Ｃｂが撮影した競技者の映像（画像）に、タイマ３０が計時した基準時刻（タイム情報）を合成して（同期させて）、記録する。
【００４３】
以下、上述した構成の競技管理システム１の動作について、図面を参照して説明する。
図５は、管理コンソール７０が実行するスタート管理処理を説明するためのフローチャートである。このスタート管理処理は、管理コンソール７０（記憶部７１）に各競技者に対応するタイム差（それまでの種目のポイント差が換算されたタイム差）の情報が記憶された後に、適宜開始される。
【００４４】
まず、管理コンソール７０は、タイマ３０が基準時刻の計時を開始するまで待機する（ステップＳ１１）。
つまり、先頭の競技者（最高ポイントの競技者）に対して、スタートピストルＳＰによるスタート指示が行われ、これに応答してタイマ３０にて基準時刻の計時が開始されるまで、後続の処理を待機する。
【００４５】
タイマ３０が基準時刻の計時を開始すると、管理コンソール７０は、次の競技者に対応するタイム差の情報を読み出す（ステップＳ１２）。
つまり、記憶部７１に記憶されている各タイム差の情報から、先頭の競技者とのタイム差が小さいものから順番に１つ読み出す。
【００４６】
管理コンソール７０は、読み出したタイム差等に基づいて、対応する競技者がスタートする予定時刻及び、予告時刻を算出する（ステップＳ１３）。
例えば、図６（ａ）に示すように、先頭の競技者Ｒｎ１が時刻Ｔ１にスタートし、競技者Ｒｎ２とのタイム差がΔｔ１である場合、管理コンソール７０は、時刻Ｔ１にΔｔ１を加算して予定時刻Ｔ３を求め、そして、この予定時刻Ｔ３から競技者Ｒｎ１がスタータの指示で位置に着き、スタートシステムＳＰの指示でスタートするまでの時間αを減算して予告時刻Ｔ２を求める。
【００４７】
管理コンソール７０は、対象のスタートゲート１０から検出信号を受信したか否かを判別する（ステップＳ１４）。
つまり、スタートゲート１０（ＰＢＵ１１ａ，１１ｂ等）が競技者のスタートやスタートラインＳＬの踏み越えを検出したか否かを判別する。
管理コンソール７０は、検出信号を受信していないと判別すると、後述するステップＳ１７に処理を進める。
【００４８】
一方、検出信号を受信したと判別した場合に、管理コンソール７０は、フライングの判定期間内であるか否かを判別する（ステップＳ１５）。
つまり、図６（ｂ）に示すように、予定時刻Ｔ３を基準として、時間γ（例えば、０．５秒）前から、時間β（例えば、１００／１０００秒）後までの判定期間（時刻Ｔ３ａ〜時刻Ｔ３ｂ）内に、検出信号を受信したか否かを判別する。
管理コンソール７０は、検出信号を受信したのがフライングの判定期間内であると判別すると、後述するステップＳ２１に処理を進める。
例えば、図６（ｃ）に示すように、時刻Ｔ３ａと予定時刻Ｔ３との間（時間γ内）に、検出信号を受信した場合、管理コンソール７０（判定部７４）は、フライングが発生したと判定する。
【００４９】
一方、検出信号を受信したのがフライングの判定期間内でない（より詳細には、判定期間以前である）と判別すると、管理コンソール７０は、スタートラインＳＬの踏み越えを報知するための警告発光指示を、対象のスタートゲート１０に送信する（ステップＳ１６）。
この警告発光指示を受信したスタートゲート１０は、信号灯１３の赤の信号を発光させ、競技者にスタートラインＳＬの踏み越えを報知する。
【００５０】
管理コンソール７０は、予告時刻や予定時刻が経過したか否かを判別する（ステップＳ１７）。つまり、上述のステップＳ１３にて算出した予告時刻や予定時刻が経過したか否かを判別する。
管理コンソール７０は、予定時刻等が経過していないと判別すると、上述のステップＳ１４に処理を戻す。
【００５１】
一方、予告時刻や予定時刻が経過したと判別した場合に、管理コンソール７０は、発光信号を対象のスタートゲート１０に送信する（ステップＳ１８）。
例えば、図６（ａ）に示す予告時刻Ｔ２が経過した場合に、管理コンソール７０は、予告発光指示を、対象のスタートゲート１０に送信する。この予告発光指示を受信したスタートゲート１０は、信号灯１３の橙の信号を発光させる。そして、図６（ａ）に示す予定時刻Ｔ３が経過した場合に、管理コンソール７０は、スタート発光指示を、対象のスタートゲート１０に送信する。このスタート発光指示を受信したスタートゲート１０は、信号灯１３の緑の信号の発光に切り替えて、競技者Ｒｎ２にスタートタイミングを報知する。
【００５２】
発光指示をスタートゲート１０に送信した後（より詳細には、スタート発光指示を送信した後）、管理コンソール７０は、そのスタートゲート１０から送られる検出信号の受信を待機する（ステップＳ１９）。
つまり、スタートタイミングを報知した競技者のスタート（スタート動作）の検出を待機する。
【００５３】
検出信号を受信すると、管理コンソール７０は、フライングの判定期間内であるか否かを判別する（ステップＳ２０）。
つまり、図６（ｂ）に示すように、フライングの判定期間（より詳細には、予定時刻Ｔ３〜時刻Ｔ３ｂ）内に、検出信号を受信したか否かを判別する。
管理コンソール７０は、検出信号を受信したのがフライングの判定期間内でない（より詳細には、判定期間以降である）と判別すると、後述するステップＳ２３に処理を進める。
【００５４】
一方、検出信号を受信したのがフライングの判定期間内であると判別すると、管理コンソール７０は、フライングの発生を検出する（ステップＳ２１）。
例えば、図６（ｄ）に示すように、予定時刻Ｔ３と時刻Ｔ３ｂとの間（時間β内）に、検出信号を受信した場合、管理コンソール７０（判定部７４）は、フライングが発生したと判定する。
そして、管理コンソール７０は、フライングの発生を報知するための警告発光指示を、対象のスタートゲート１０に送信する（ステップＳ２２）。
この警告発光指示を受信したスタートゲート１０は、信号灯１３の赤の信号を発光させ、競技者にフライングの発生を報知する。
【００５５】
管理コンソール７０は、次の競技者が残っているか否かを判別する（ステップＳ２３）。
つまり、スタートを待機している次の競技者が存在しているか否かを判別する。
管理コンソール７０は、次の競技者が残っていると判別した場合に、上述のステップＳ１２に処理を戻す。すなわち、上記と同様に、次の競技者のタイム差を読み出して、スタートタイミングを報知すると共に、フライングの発生の有無を判定する。
【００５６】
一方、次の競技者が残っていない（つまり、全ての競技者がスタートを終えた）と判別した場合に、管理コンソール７０は、スタート管理処理を終える。
【００５７】
このようなスタート管理処理により、管理コンソール７０は、各タイム差に基づいて、対象のスタートゲート１０に向けて、予告発光指示及びスタート発光指示等をそれぞれ送信する。そして、各スタートゲート１０では、これらの発光指示に応答して信号を適宜発光させ、対象の競技者にスタートタイミングを報知する。これにより、各競技者に対して、それぞれ適切なタイミングでスタート指示を行うことができる。
また、各スタートゲート１０にて、競技者のスタート等が検出され、検出信号が管理コンソール７０に送信される。そして、管理コンソール７０は、フライングの判定期間内に検出信号を受信すると、対象の競技者のフライングを検出する。これにより、各競技者のフライングの有無を厳格に判定することができる。
この結果、グンダーセン方式による競技のスタートを適切に管理することができる。
【００５８】
このようなスタート管理処理により、各競技者にそれぞれスタートタイミングが報知され、各競技者がそれぞれタイム差をあけてスタートする。その後、各競技者のゴールに応答して、管理コンソール７０（タイム特定部７５）は、各競技者の競技タイムをそれぞれ特定する。
その際、上述したスタート管理処理にて、フライングの発生が判定（検出）されている場合、管理コンソール７０（タイム特定部７５）は、該当する競技者の競技タイムに、予め定められたペナルティタイムを加算する。つまり、管理コンソール７０は、フライングによるペナルティが加味された競技タイムを特定する。
これにより、フライングした競技者は、ペナルティにより加算されたタイム分だけ先にゴールしないと、後続の競技者に勝てないので、当該競技者の不利になっても、他の競技者の不利にはならない。
【００５９】
（他の実施形態）
上記の実施の形態では、スタートゲート１０にてＰＢＵ１１ａ，１１ｂやビジョンカメラ１２を用いて、競技者によるスタート動作の検出やスタートラインＳＬの踏み越えの検出を行う場合について説明した。
しかしながら、スタート動作や踏み越えを検出する方法は、ＰＢＵ１１ａ，１１ｂ等に限られず、他のセンサを用いてスタート動作の検出やスタートラインＳＬの踏み越えの検出を行ってもよい。
また、上記の実施の形態では、スタートゲート１０にて信号灯１３等を用いて、競技者にスタートタイミングを報知する場合について説明した。
しかしながら、スタートタイミングを報知する方法は、信号灯１３に限られず、他にスタート音を発生するようにして、競技者にスタートタイミングを報知してもよい。
【００６０】
以下、本発明の他の実施形態について、図７を参照して説明する。図７は、この発明の他の実施形態に適用される競技管理システム２の構成の一例を示す模式図である。
図示するように、競技管理システム２は、スタートゲート９０（９０ａ〜９０ｅ）と、中継機器２０と、タイマ機器としてのタイマ３０と、タイム表示装置４０と、不正スタート表示装置５０と、スタート信号発生装置６０と、管理装置としての管理コンソール７０と、写真判定装置８０と、を含んで構成される。
なお、中継機器２０〜写真判定装置８０は、上述した図１に示す競技管理システム１の構成と同じものとなっている。それでも、管理コンソール７０は、スタートゲート９０に上述した発光指示だけでなく、新たにスタート音出力指示等も送信する。
【００６１】
スタートゲート９０（９０ａ〜９０ｅ）は、区分けされたスタート位置にそれぞれ配置され、競技者（自己のスタートゲート９０からスタートする競技者）にスタートタイミングを報知すると共に、その競技者のスタート等を検出する。
具体的にスタートゲート９０は、圧力センサ９１と、圧電センサ９２と、スピーカ９３（９３ａ〜９３ｄ）と、マイクロフォン９４と、音場定位制御装置９５と、信号灯１３と、ヘッドセット１４と、ハンディコンソール１５と、コースボックス１６と、を含んで構成される。
なお、信号灯１３〜コースボックス１６は、上述した図２に示すスタートゲート１０の構成と同じものとなっている。
【００６２】
圧力センサ９１は、マット式の圧力センサ等からなり、競技者のスタート位置に配置される。
圧力センサ９１は、例えば、スタート前に競技者が停止した状態から、荷重（体重）が加わったタイミングで、競技者のスタートを検出し、検出信号をコースボックス１６に供給する。
この検出信号は、コースボックス１６等を介して最終的に管理コンソール７０に送信される。
【００６３】
圧電センサ９２は、例えば、スタートラインＳＬと同じ形状（曲線状）に形成され、スタートラインＳＬに接して配置される。
圧電センサ９２は、競技者のスタートラインＳＬの踏み越えを検出し、検出信号をコースボックス１６に供給する。
【００６４】
スピーカ９３（９３ａ〜９３ｄ）は、競技者のスタート位置の周囲に配される。スピーカ９３は、後述する音場定位制御装置９５に制御され、スタート位置に待機する対象の競技者にだけ聞こえるように、スタート音を出力する。
【００６５】
マイクロフォン９４は、スタート位置周辺の音声（周囲の雑音等）を集音し、音声信号に変換して音場定位制御装置９５に供給する。
【００６６】
音場定位制御装置９５は、マイクロフォン９４から供給された音声信号を逆位相に変換し、スピーカ９３からスタート位置周辺の音を打ち消す音を出力させる。この状態で、音場定位制御装置９５は、コースボックス１６を介して管理コンソール７０から送られるスタート音出力指示に応答して、スピーカ９３からスタート音を出力させる。
【００６７】
このような構成のスタートゲート９０も、上述したスタートゲート１０と同様に、管理コンソール７０から送られる発光指示（予告発光指示、スタート発光指示）やスタート音出力指示等に応答して、対象の競技者にスタートタイミングを報知する。
つまり、管理コンソール７０から予告発光指示が送られると、信号灯１３に橙の信号を発光させ、そして、管理コンソール７０からスタート発光指示が送られると、信号灯１３に緑の信号の発光に切り換えて、競技者にスタートタイミングを報知する。
また、これと同時に、管理コンソール７０からスタート音出力指示が送られると、音場定位制御装置９５は、マイクロフォン９４にて集音した音声と逆位相の音声をスピーカ９３から出力させながら、スタート音をスピーカ９３から出力させる。
つまり、スタート位置に待機する対象の競技者にだけ聞こえるように、周囲の雑音等を打ち消しながら、スタート音を出力する。
【００６８】
また、スタートゲート９０は、圧力センサ９１により競技者のスタート動作を検出し、検出信号を管理コンソール７０に送信する。そして、管理コンソール７０がスタート発光指示（スタート音発生指示）を送信したタイミングと、検出信号を受信したタイミングとの関係に基づいて、競技者のフライングの有無を検出する。このため、各競技者のフライングの有無を厳格に判定することができる。
この結果、図７に示す競技管理システム２においても、グンダーセン方式による競技のスタートを適切に管理することができる。
【００６９】
上記の実施の形態では、十種競技の最終種目である１５００ｍにグンダーセン方式が採用された場合を一例として説明したが、同様に、七種競技の最終種目である８００ｍにグンダーセン方式が採用された場合にも、適宜適用可能である。
更に、このようなトラック競技に限られず、他の競技にも適宜適用可能である。例えば、往路と復路とを分けて行う駅伝競技等にも適用可能である。
【００７０】
以上説明したように、本発明によれば、グンダーセン方式による競技のスタートを適切に管理することができる。
【図面の簡単な説明】
【００７１】
【図１】本発明の実施の形態に係る競技管理システムの構成の一例を示す模式図である。
【図２】スタートゲートの構成の一例を示すブロック図である。
【図３】管理コンソールの機能的な構成の一例を示すブロック図である。
【図４】（ａ）が発光指示等のタイミングを説明するための模式図であり、（ｂ），（ｃ）がフライングの発生を説明するための模式図である。
【図５】本発明の実施の形態に係るスタート管理処理を説明するためのフローチャートである。
【図６】（ａ）〜（ｄ）共に、スタート管理処理に対応した動作を説明するための模式図である。
【図７】本発明の他の実施形態に係る競技管理システムの構成の一例を示す模式図である。
【符号の説明】
【００７２】
１，２  競技管理システム
１０，９０  スタートゲート
２０  中継機器
３０  タイマ
４０  タイム表示装置
５０  不正スタート表示装置
６０  スタート信号発生装置
７０  管理コンソール
８０  写真判定装置
【図１】
2006149670.tif 000003
【図２】
2006149670.tif 000004
【図３】
2006149670.tif 000005
【図４】
2006149670.tif 000006
【図５】
2006149670.tif 000007
【図６】
2006149670.tif 000008
【図７】
2006149670.tif 000009